【手続補正書】
【提出日】平成15年12月5日(2003.12.5)
【手続補正１】
【補正対象書類名】明細書
【補正対象項目名】請求項１
【補正方法】変更
【補正の内容】
【請求項１】
プリンタにコマンドを送信する送信手段を備えるプリンタコマンド制御装置において、
プリンタ制御コマンドが埋め込まれた表示ファイルを格納する格納手段と、
前記プリンタのデバイス識別情報を取得する取得手段と、
前記格納される表示ファイルにより表示されるユーザインタフェース画面を介して制御コマンドの発行指示がなされた場合に、前記取得手段により取得されたデバイス識別情報に基づいて、表示ファイルに埋め込まれているプリンタ制御コマンドが接続されている前記プリンタに対して適正なものであるかを判別する判別手段とを備え、
前記表示ファイルに埋め込まれているプリンタ制御コマンドが、接続されている前記プリンタに対して適正なものでないと判別されたときに、前記送信手段は、前記プリンタに前記コマンドを送信しないことを特徴とするプリンタコマンド制御装置。
【手続補正２】
【補正対象書類名】明細書
【補正対象項目名】請求項１０
【補正方法】変更
【補正の内容】
【請求項１０】
プリンタにコマンドを送信する送信ステップを備えるプリンタコマンド制御装置のプリンタコマンド制御方法において、
プリンタ制御コマンドが埋め込まれた表示ファイルを格納する格納ステップと、
前記プリンタのデバイス識別情報を取得する取得ステップと、
前記格納される表示ファイルにより表示されるユーザインタフェース画面を介して制御コマンドの発行指示がなされた場合に、前記取得手段により取得されたデバイス識別情報に基づいて、表示ファイルに埋め込まれているプリンタ制御コマンドが接続されている前記プリンタに対して適正なものであるかを判別する判別ステップとを備え、
前記表示ファイルに埋め込まれているプリンタ制御コマンドが、接続されている前記プリンタに対して適正なものでないと判別されたときに、前記送信ステップでは、前記プリンタに前記コマンドを送信しないことを特徴とするプリンタコマンド制御方法。
【手続補正３】
【補正対象書類名】明細書
【補正対象項目名】請求項２１
【補正方法】変更
【補正の内容】
【請求項２１】
プリンタにコマンドを送信する送信ステップを備えるプリンタコマンド制御装置のプリンタコマンド制御プログラムであって、前記プログラムは、プリンタ制御コマンドが埋め込まれた表示ファイルを格納する格納ステップと、
前記プリンタのデバイス識別情報を取得する取得ステップと、
前記格納される表示ファイルにより表示されるユーザインタフェース画面を介して制御コマンドの発行指示がなされた場合に、前記取得手段により取得されたデバイス識別情報に基づいて、表示ファイルに埋め込まれているプリンタ制御コマンドが接続されている前記プリンタに対して適正なものであるかを判別する判別ステップとコンピュータに実行させ、
前記表示ファイルに埋め込まれているプリンタ制御コマンドが、接続されている前記プリンタに対して適正なものでないと判別されたときに、前記送信ステップでは、前記プリンタに前記コマンドを送信しないことを特徴とするプログラム。
【手続補正４】
【補正対象書類名】明細書
【補正対象項目名】請求項２２
【補正方法】変更
【補正の内容】
【請求項２２】
プリンタにコマンドを送信する送信ステップを備えるプリンタコマンド制御装置のプリンタコマンド制御プログラムが格納されたコンピュータ読取り可能な記憶媒体であって、前記プログラムは、プリンタ制御コマンドが埋め込まれた表示ファイルを格納する格納ステップと、
前記プリンタのデバイス識別情報を取得する取得ステップと、
前記格納される表示ファイルにより表示されるユーザインタフェース画面を介して制御コマンドの発行指示がなされた場合に、前記取得手段により取得されたデバイス識別情報に基づいて、表示ファイルに埋め込まれているプリンタ制御コマンドが接続されている前記プリンタに対して適正なものであるかを判別する判別ステップとをコンピュータに実行させ、
前記表示ファイルに埋め込まれているプリンタ制御コマンドが、接続されている前記プリンタに対して適正なものでないと判別されたときに、前記送信ステップでは、前記プリンタに前記コマンドを送信しないことを特徴とする記憶媒体。
【手続補正５】
【補正対象書類名】明細書
【補正対象項目名】００１０
【補正方法】変更
【補正の内容】
【００１０】
【課題を解決するための手段】
上記目的を達成するために、請求項１記載のプリンタコマンド制御装置は、プリンタにコマンドを送信する送信手段を備えるプリンタコマンド制御装置において、プリンタ制御コマンドが埋め込まれた表示ファイルを格納する格納手段と、前記プリンタのデバイス識別情報を取得する取得手段と、前記格納される表示ファイルにより表示されるユーザインタフェース画面を介して制御コマンドの発行指示がなされた場合に、前記取得手段により取得されたデバイス識別情報に基づいて、表示ファイルに埋め込まれているプリンタ制御コマンドが接続されている前記プリンタに対して適正なものであるかを判別する判別手段とを備え、前記表示ファイルに埋め込まれているプリンタ制御コマンドが、接続されている前記プリンタに対して適正なものでないと判別されたときに、前記送信手段は、前記プリンタに前記コマンドを送信しないことを特徴とする。


【手続補正６】
【補正対象書類名】明細書
【補正対象項目名】００１９
【補正方法】変更
【補正の内容】
【００１９】
上記目的を達成するために、請求項１０記載のプリンタコマンド制御方法は、プリンタにコマンドを送信する送信ステップを備えるプリンタコマンド制御装置のプリンタコマンド制御方法において、プリンタ制御コマンドが埋め込まれた表示ファイルを格納する格納ステップと、前記プリンタのデバイス識別情報を取得する取得ステップと、前記格納される表示ファイルにより表示されるユーザインタフェース画面を介して制御コマンドの発行指示がなされた場合に、前記取得手段により取得されたデバイス識別情報に基づいて、表示ファイルに埋め込まれているプリンタ制御コマンドが接続されている前記プリンタに対して適正なものであるかを判別する判別ステップとを備え、前記表示ファイルに埋め込まれているプリンタ制御コマンドが、接続されている前記プリンタに対して適正なものでないと判別されたときに、前記送信ステップでは、前記プリンタに前記コマンドを送信しないことを特徴とする。


【手続補正７】
【補正対象書類名】明細書
【補正対象項目名】００３０
【補正方法】変更
【補正の内容】
【００３０】
上記目的を達成するために、請求項２１記載のプログラムは、プリンタにコマンドを送信する送信ステップを備えるプリンタコマンド制御装置のプリンタコマンド制御プログラムであって、前記プログラムは、プリンタ制御コマンドが埋め込まれた表示ファイルを格納する格納ステップと、前記プリンタのデバイス識別情報を取得する取得ステップと、前記格納される表示ファイルにより表示されるユーザインタフェース画面を介して制御コマンドの発行指示がなされた場合に、前記取得手段により取得されたデバイス識別情報に基づいて、表示ファイルに埋め込まれているプリンタ制御コマンドが接続されている前記プリンタに対して適正なものであるかを判別する判別ステップとコンピュータに実行させ、前記表示ファイルに埋め込まれているプリンタ制御コマンドが、接続されている前記プリンタに対して適正なものでないと判別されたときに、前記送信ステップでは、前記プリンタに前記コマンドを送信しないことを特徴とする。


【手続補正８】
【補正対象書類名】明細書
【補正対象項目名】００３１
【補正方法】変更
【補正の内容】
【００３１】
上記目的を達成するために、請求項２２記載の記憶媒体は、プリンタにコマンドを送信する送信ステップを備えるプリンタコマンド制御装置のプリンタコマンド制御プログラムが格納されたコンピュータ読取り可能な記憶媒体であって、前記プログラムは、プリンタ制御コマンドが埋め込まれた表示ファイルを格納する格納ステップと、前記プリンタのデバイス識別情報を取得する取得ステップと、前記格納される表示ファイルにより表示されるユーザインタフェース画面を介して制御コマンドの発行指示がなされた場合に、前記取得手段により取得されたデバイス識別情報に基づいて、表示ファイルに埋め込まれているプリンタ制御コマンドが接続されている前記プリンタに対して適正なものであるかを判別する判別ステップとをコンピュータに実行させ、前記表示ファイルに埋め込まれているプリンタ制御コマンドが、接続されている前記プリンタに対して適正なものでないと判別されたときに、前記送信ステップでは、前記プリンタに前記コマンドを送信しないことを特徴とする。


【手続補正９】
【補正対象書類名】明細書
【補正対象項目名】００４０
【補正方法】変更
【補正の内容】
【００４０】
図２において、クリーニングボタン１００は、プリントヘッドのノズル詰まりを改善するためのヘッドクリーニングを実行する際に押下されるボタンから成る。このクリーニングボタン１００には、図４に示すクリーニングボタンにリンクするタグが関連付けられており、webブラウザプログラム１３ａは、このクリーニングボタン１００が押下されると、この関連付けされたクリーニングボタンにリンクするタグを検索して、このクリーニングボタンにリンクするタグが検索されると、埋め込まれているプリンタメンテナンスコマンド（制御コマンド）を読み出して、プリンタメンテナンスコマンドが接続されているプリンタのメーカ情報に対して適正なものであるかを後述する処理により判断し、適正なものである場合に、webブラウザプログラムは、プリンタドライバにプリンタメンテナンスコマンドをスルー処理させるＡＰＩ（Application Program Interface）出力し、プリンタドライバは該メンテナンスコマンドをスルー処理して入力出力インタフェース１６を介してプリンタ２に出力する。プリンタ２は、入力出力インタフェース１６を介して入力されたプリンタメンテナンスコマンド、この場合はヘッドクリーニングコマンドに応じて、プリンタ２のヘッドクリーニングを実行する。


【手続補正１０】
【補正対象書類名】明細書
【補正対象項目名】００４２
【補正方法】変更
【補正の内容】
【００４２】
ヘッド位置調整パターン印刷ボタン１０２は、プリントヘッドの位置調整を行うためのテストパターンを印刷するために押下されるボタンから成り、このヘッド位置調整パターン印刷ボタン１０２には、図６に示すヘッド位置調整パターン印刷ボタンにリンクするタグが関連付けられている。ヘッド位置調整パターン印刷ボタン１０２が押下されると、プリンタメンテナンスコマンドがプリンタドライバプログラム１３ｂを経由してプリンタ２に発行され、結果として、例えば図３に示すような６種類のパターンＡ〜パターンＦから成るヘッド位置調整パターンが印刷される。


【手続補正１１】
【補正対象書類名】明細書
【補正対象項目名】００６３
【補正方法】変更
【補正の内容】
【００６３】
ステップＳ３では、webブラウザプログラム１３ａは、ノズルチェックパターン印刷ボタン１０１が押下されたか否かを判別し、ノズルチェックパターン印刷ボタン１０１が押下されていないときはステップＳ４に進み、ノズルチェックパターン印刷ボタン１０１が押下されたときは、表示中のHTMLファイル中に含まれる図５に示したノズルチェックパターン印刷ボタンにリンクしたタグを検索して得て、ステップＳ１０へ進む。


【手続補正１２】
【補正対象書類名】明細書
【補正対象項目名】００８７
【補正方法】変更
【補正の内容】
【００８７】
請求項７記載の装置及び請求項１６記載の方法によれば、ヘッダと当該ヘッダに続くプリンタのメーカ情報とを検出した後、コマンドがプリンタのメーカ情報以降に含まれていることを検出するので、請求項１記載の装置による効果を確実に奏することができる。